(57)【特許請求の範囲】
【請求項１】
ドア側の座板１０に突設された上下の対向支持部１１に係合アーム１３の横Ｕ字状掛合部２０に連設すると共に外方向に広がる上下の外拡基端部２１を枢着し、前記一つの対向支持部１１と一つの外拡基端部２１との間に設定した間隙１５に位置するように支持バネ１４を装着し、この支持バネは、その一端部が前記外拡基端部２１に支持されていると共に他端部は前記座板１０に圧接し、かつ前記係合アームを交差する二方向にそれぞれ付勢するストッパー的バネ機能と作動的バネ機能とを有し、係合アームは、ドアガード不使用時に、該支持バネのストッパー的バネ機能により、係合アームの外拡基端部に形成した係合部２２が対向支持部の被係合部１７に係合し、一方、ドアガード使用時に、手動で前記係合部を対向支持部の被係合部から離すと、支持バネの作動的バネ機能により、係合アームは、外拡基端部の挿入空間部に戸枠側の受杆７が入り込む所まで自動的に回転することを特徴とするドアガードの掛合装置。
【発明の詳細な説明】
【０００１】
【発明の属する技術分野】
本発明はドアガードの掛合装置に関する。
【０００２】
【従来の技術】
特開平１０−６８２６１号公報には、地震などによるドア枠の変形やドアの吊り込み状態が生じた場合であっても、ドアガードの作動状態を解消させることができる一例が開示されている。
【０００３】
このドアガードは、戸枠側の固定座から突出する受杆と係合する係合アームの外拡基端部を枢支するドア座板側の垂直軸に、計３個のコイル型バネをそれぞれ垂直列に個別的に巻装し、地震などによるドアの吊り込み状態が生じた場合であっても、前記コイル型バネのバネ力に抗して係合アームを上下動させ、これにより、係合アームの外拡基端部の挿入空間を受杆の係合頭部に対応させ、無理なく係合アームと受杆との係合を解消するものである。
【０００４】
上記構成に於いては、ドア側の座板部材、垂直軸、係合アームから構成される掛合装置の垂直軸に複数個のバネを装着したので、耐震性を持たせることが出来るという利点がある。
しかしながら、前記垂直列のバネは、単に耐震性を考慮しただけであるから、係合アームをドアの内壁面に戻したドアガード不使用時に、係合アームが不用意に動かない（回転しない）ようにする機能を果すことができず、また、係合アームを受杆に係合させるドアガード使用時に、係合アームを自動的に作動するロック可能な位置（受杆と係合する位置）へと回転させる機能を果すことができないという問題点がある。
【０００５】
【発明が解決しようとする課題】
本発明の課題は、以上のような従来の実施例が有する問題点に鑑み、耐震性を考慮した上で、ドアガード不使用時に、係合アームが不用意に動かないようにし、一方、ドアガード使用時に、係合アームを自動的に作動するロック可能な位置へと回転させることができるドアガードの掛合装置を提供することである。
【０００６】
【課題を解決するための手段】
本発明のドアガードの掛合装置は、ドア側の座板１０に突設された上下の対向支持部１１に係合アーム１３の横Ｕ字状掛合部２０に連設すると共に外方向に広がる上下の外拡基端部２１を枢着し、前記一つの対向支持部１１と一つの外拡基端部２１との間に設定した間隙１５に位置するように支持バネ１４を装着し、この支持バネは、その一端部が前記外拡基端部２１に支持されていると共に他端部は前記座板１０に圧接し、かつ前記係合アームを交差する二方向にそれぞれ付勢するストッパー的バネ機能と作動的バネ機能とを有し、係合アームは、ドアガード不使用時に、該支持バネのストッパー的バネ機能により、係合アームの外拡基端部に形成した係合部２２が対向支持部の被係合部１７に係合し、一方、ドアガード使用時に、手動で前記係合部を対向支持部の被係合部から離すと、支持バネの作動的バネ機能により、係合アームは、外拡基端部の挿入空間部に戸枠側の受杆７が入り込む所まで自動的に回転することを特徴とする。
【０００７】
【発明の実施の形態】
本発明の実施の形態について、図１乃至図５を参照に説明する。図１は実施形態の一例を示す分解斜視図である。図２は、後述する支持バネのバネ力により、係合アームが自動的に作動するロック可能な位置へと回転した状態を示す平面からの説明図である。図３はドアガード不使用時の状態でドアを開いた平面からの説明図である。図４はドアガード不使用時の正面からの説明図である。図５はドアガード使用時に、係合アームを支持バネのバネ力に抗して押し下げてその係合状態を解消させた説明図である。
【０００８】
さて、１はドアガードで、このドアガード１は、ドア枠２に固定された受け部材３と、ドア４の内壁面４ａに取り付けられた掛合装置５とから構成されている。受け部材３は、ドア枠２の垂直壁面２ａに固着具を介して固定された固定座６と、この固定座６の中央部から水平方向に突出する受杆７とから成る。受杆７は、短杆状胴部７ａと、この短杆状胴部７ａの先端部に突出形成されたボタン状の係合頭部７ｂとから成る。
【０００９】
一方、掛合装置５は、ドア４の内壁面４ａに固着具を介して固定された長方形の座板１０と、この座板１０に突設された上下の対向支持（軸受け）部１１，１１に垂直軸１２を介して軸支され、かつ、ドア４の内壁面４ａとドア枠２の垂直壁面２ａとの間の空間で水平状態に回転する係合アーム１３と、この係合アーム１３を交差する二方向（ここでは垂直方向と水平方向の両方を意味する。）にそれぞれ常時付勢する一つの支持バネ１４とから成る。
【００１０】
前記上下の対向支持部１１，１１は、係合アーム１３の上下の外拡基端部２１，２１が対向支持部１１，１１内に垂直軸１２を介して枢着された際に、少なくとも一つの対向支持部１１に対して所要の間隙１５を有するように配設されている（図４参照）。また、対向支持部１１，１１のいずれか一方、本実施例では、上方の支持部１１の内壁面（下面）には、軸孔１６から半径方向にかけて、係合アーム回転止め用の被係合部（凹所）１７が形成されている。
【００１１】
前記係合アーム１３は、その部分を区分けすると、横Ｕ字型状掛合部２０と、この掛合部２０に連設すると共に外方向に広がる上下の外拡基端部２１，２１とを有する。公知のように上下の外拡基端部２１，２１の空間部は、受杆７の係合頭部７ｂが挿入する部分であり、また横Ｕ字状掛合部２０は、受杆７の胴部７ａ案内用のガイド空間を形成する係合部分である。
【００１２】
しかして、本実施例では、上方の外拡基端部２１の上面には、対向支持部１１の被係合部（凹所）１７と係脱する係合アーム回転止め用の係合部（凸部）２２が形成されている。一方、下方の外拡基端部２１の下面には、支持バネ１４の一端部を受ける小突起２３が設けられている。
支持バネ１４は、下方の外拡基端部２１の下面と下方の支持部１１の内壁面（上面）にそれぞれ圧接するように間隙１５に組み込まれ、かつ垂直軸１２の下端部に巻装されている。また、支持バネ１４の一端部は前述したように下方の外拡基端部２１の小突起２３に支持され、一方、他端部は座板１０に圧接している。
【００１３】
したがって、本実施例の支持バネ１４は、係合アーム１３の係合部（凸部）２２が上方の支持部１１の被係合部（凹所）１７に係合するように該係合アーム１３を垂直（上方）方向に常時付勢する機能と、該係合アーム１３が受け部材３の受杆７に対して作動する水平方向（掛け方向）へと常時付勢する機能とを有している。
【００１４】
換言すれば、前者は、ドアガード不使用時に、係合アーム１３の係合部（凸部）２２を一つの対向支持部１１の被係合部（凹所）１７に係合させ、係合アーム１３の自由なる回転を止めるストッパー的バネ機能であり、一方、後者は、ドアガード使用時に、手動で係合アーム１３の係合部（凸部）２２を対向支持部１１の被係合部（凹所）１７から離す（係合解除する）と、係合アーム１３の外拡基端部の挿入空間部に受け部材３の受杆７が入り込む所まで係合アームを自動的に回転させ、これによりドアガード１がドア４の開放に伴い作動するようにする作動的バネ機能である。
【００１５】
上記構成に於いて、ドアガード不使用時には、図４で示すように係合アーム１３がドア４の内壁面４ａに沿うように位置している。この時、係合アーム１３は下方の支持バネ１４のバネ力により持ち上げられ、その係合部２２は上方対向支持部１１の被係合部１７に係合している。したがって、係合アーム１３は不用意に作動方向へ回転しない。
【００１６】
一方、ドアガード使用時には、手動で係合アーム１３を押し下げる。図５で示すように係合アーム１３が支持バネ１４のバネ力に抗して収縮すると、係合アーム１３の係合部２２は上方対向支持部１１の被係合部１７から離れる。このように係合部２２が被係合部１７から離れるや否や係合アームは、支持バネ１４の作動的バネ機能により、自動的にロック可能な位置へと回転し、図２で示すように上下の外拡基端部内に受杆７が入り込む。
【００１７】
【実施例】
発明の実施形態では、係合アームの上方の外拡基端部に座板側の被係合部に係合する係合部を形成し、この構成に対応して支持バネ１４を垂直軸の下方に組み込んでいるが、係合部を下方の外拡基端部に形成するなど任意に設計変更した場合には、変更した構成に対応して支持バネ１４を垂直軸の上方に組み込んでも良い。
【００１８】
また、発明の実施形態では、係合アームの外拡基端部に係合部（凸部）を形成し、一方、座板側の対向支持部に被係合部（凹所）を形成しているが、係合部と被係合部の形成位置を逆にしても良い。要は、ドアガード不使用時に、係合アーム１３は支持バネ１４のバネ力により持ち上げられ、或いは押し下げられ、その係合部２２が一つの対向支持部１１の被係合部１７に係合すれば良い。
【００１９】
【発明の効果】
以上の説明から明らかなように、本発明のドアガードの掛合装置にあっては、耐震性を考慮した上で、ドアガード不使用時に、係合アームが不用意に動かないようにし、一方、ドアガード使用時に、係合アームを自動的に作動するロック可能な位置へと回転させることができる。
【図面の簡単な説明】
図１乃至図５は本発明の実施形態の一例を示す各説明図。
【図１】分解斜視図。
【図２】係合アームが自動的に作動するロック可能な位置へと回転した状態を示す平面からの説明図。
【図３】ドアガード不使用時の状態でドアを開いた平面からの説明図。
【図４】ドアガード不使用時の正面からの説明図。
【図５】ドアガード使用時に、係合アームを支持バネのバネ力に抗して押し下げてその係合状態を解消させた説明図。
【符号の説明】
１…ドアガード、２…ドア枠、３…受け部材、４…ドア、５…掛合装置、６…固定座、７…受杆、７ａ…係合頭部、１０…座板、１１…対向支持部、１２…垂直軸、１３…係合アーム、１４…支持バネ、１５…間隙、１７…被係合部、２２…係合部、２３…小突起。
【図１】
0004198902.tif 000002
【図２】
0004198902.tif 000003
【図３】
0004198902.tif 000004
【図４】
0004198902.tif 000005
【図５】
0004198902.tif 000006